(57)【要約】【課題】美観を考慮して設けられるカバー部材を、適切な状態にて容易に取り付けることが可能なシャッターユニットを提供する。【解決手段】建物の開口に設けられる一対の縦枠と、縦枠に固定具により取り付けられ、昇降されるシャッターカーテンを案内する一対のガイドレールと、前記縦枠に前記ガイドレールが取り付けられた状態で、前記固定具を隠蔽する一対のカバー部材と、を有し、前記カバー部材は、前記ガイドレールより屋内側に位置する部位にて、前記縦枠に対してのみに支持されている。【選択図】図７
2008223429.tif 000002
【特許請求の範囲】
【請求項１】
建物の開口に設けられる一対の縦枠と、
前記縦枠に固定具により取り付けられ、昇降されるシャッターカーテンを案内する一対のガイドレールと、
前記縦枠に前記ガイドレールが取り付けられた状態で、前記固定具を隠蔽する一対のカバー部材と、を有し、
前記カバー部材は、前記ガイドレールより屋内側に位置する部位にて、前記縦枠に対してのみに支持されていることを特徴とするシャッターユニット。
【請求項２】
請求項１に記載のシャッターユニットであって、
前記シャッターカーテンよりも室内側には前記縦枠内に支持された少なくとも１枚の面材が設けられ、
前記縦枠は、前記面材を支持する縦枠本体と、当該縦枠本体に取り付けられるシャッター縦枠と、を有し、
前記シャッター縦枠は、シャッター枠固定具により前記縦枠本体に固定され、
前記シャッター縦枠に前記カバー部材が取り付けられることにより、前記シャッター枠固定具が隠蔽されることを特徴とするシャッターユニット。
【請求項３】
請求項１または請求項２に記載のシャッターユニットであって、
前記シャッター縦枠および前記ガイドレールによって前記面材の面内方向に開口する凹部が形成され、
前記カバー部材が前記シャッター縦枠に取り付けられることで前記凹部が隠蔽されることを特徴とするシャッターユニット。
【請求項４】
請求項１乃至請求項３のいずれかに記載のシャッターユニットであって、
前記カバー部材は、前記凹部における見込み方向中央側であって当該凹部の奥側にて前記シャッター縦枠と係合する第１係合部と、
前記凹部における見込み方向屋内側であって当該凹部の入り口側にて前記シャッター縦枠と係合する第２係合部と、
前記凹部における屋外側であって当該凹部の入り口側に前記ガイドレールと対面する壁部と、を有し、
前記カバー部材は、見込み方向に対し傾かせた状態にて挿入され、傾きを戻すことにより、前記第１係合部と第２係合部が係合して前記シャッター縦枠に取り付けられることを特徴とするシャッターユニット。
【請求項５】
請求項１乃至請求項４のいずれかに記載のシャッターユニットであって、
前記シャッターカーテンを昇降させるための昇降駆動部と、
前記昇降駆動部の動力を遮断して前記シャッターカーテンを巻き上げて開放するための操作部と、
前記昇降駆動部と前記操作部とを連結するための連結部と、を有し、
前記操作部は前記カバー部材に設けられ、前記連結部は前記凹部内に設けられていることを特徴とするシャッターユニット。
【発明の詳細な説明】
【技術分野】
【０００１】
本発明は、シャッターカーテンを昇降させるシャッターユニットに関する。
【背景技術】
【０００２】
シャッターカーテンを昇降させるシャッターユニットとしては、シャッターカーテンが案内されるガイドレールが、建物等の開口に設けられた開口枠に取り付けられたシャッターユニットが知られている（例えば、特許文献１参照）。また、シャッターユニットは、屋外に設けられるため、風圧等に耐え得る強度と、防犯上容易に外せないような構造が要求される一方で、外部に露出されるので外装材としての優れた美観も要求されることになる。このため、ガイドレールを枠体にねじ等の固定具にて確実に固定し、その固定部を覆うなど美観を考慮してカバー部材等を設けることが考えられる。
【特許文献１】特許第２７４７８９９号明細書
【発明の開示】
【発明が解決しようとする課題】
【０００３】
しかしながら、固定具を覆うカバー部材は、当該カバー部材を固定するための固定具が外部に露出しないように嵌合により取り付けられることが望ましい。このとき、より多くの部材から構成されるものに対してカバー部材が取り付けられると、カバー部材が取り付けられる部位の寸法精度が低い場合には、カバー部材が外れやすくなってしまったり、取り付けにくくなる畏れがあるという課題がある。
【０００４】
本発明は、かかる課題に鑑みてなされたものであり、その目的とするところは、美観を考慮して設けられるカバー部材を、適切な状態にて容易に取り付けることが可能なシャッターユニットを提供することにある。
【課題を解決するための手段】
【０００５】
かかる目的を達成するために本発明のシャッターユニットは、建物の開口に設けられる一対の縦枠と、前記縦枠に固定具により取り付けられ、昇降されるシャッターカーテンを案内する一対のガイドレールと、前記縦枠前記ガイドレールが取り付けられた状態で、前記固定具を隠蔽する一対のカバー部材と、を有し、前記カバー部材は、前記ガイドレールより屋内側に位置する部位にて、前記縦枠に対してのみに支持されていることを特徴とするシャッターユニットである。  
このようなシャッターユニットによれば、カバー部材が、縦枠に対してのみに支持されているので、カバー部材は少なくともガイドレールには支持されていない。すなわち、ガイドレールに支持されることなくカバー部材が取り付けられるので、カバー部材の一部がガイドレールに取り付けられる場合より、少ない部材間に跨って取り付けられることになる。このため、カバー部材が、取り付けられる取り付け箇所が少ない部材間に形成されていることにより、取り付け箇所の位置の精度が向上されるため、カバー部材が取り付けやすく、かつ、適切に取り付けられる。よって、カバー部材を、適切な状態にて容易に取り付けることが可能である。
【０００６】
かかるシャッターユニットであって、前記シャッターカーテンよりも室内側には前記縦枠内に支持された少なくとも１枚の面材が設けられ、前記縦枠は、前記面材を支持する縦枠本体と、当該縦枠本体に取り付けられるシャッター縦枠と、を有し、前記シャッター縦枠は、シャッター枠固定具により前記縦枠本体に固定され、前記シャッター縦枠に前記カバー部材が取り付けられることにより、前記シャッター枠固定具が隠蔽されることが望ましい。  
このようなシャッターユニットによれば、ガイドレールの固定具とともにシャッター枠固定具もカバー部材により隠蔽されるので、シャッター枠固定具が外部から見えず、美観に優れたシャッターユニットを実現することが可能である。
【０００７】
かかるシャッターユニットであって、前記シャッター縦枠および前記ガイドレールによって前記面材の面内方向に開口する凹部が形成され、前記カバー部材が前記シャッター縦枠に取り付けられることで前記凹部が隠蔽されることが望ましい。  
このようなシャッターユニットによれば、カバー部材により凹部が隠蔽されるので、全体としてより美観に優れたシャッターユニットを実現することが可能である。
【０００８】
かかるシャッターユニットであって、前記カバー部材は、前記凹部における見込み方向中央側であって当該凹部の奥側にて前記シャッター縦枠と係合する第１係合部と、前記凹部における見込み方向屋内側であって当該凹部の入り口側にて前記シャッター縦枠と係合する第２係合部と、前記凹部における屋外側であって当該凹部の入り口側に前記ガイドレールと対面する壁部と、を有し、前記カバー部材は、見込み方向に対し傾かせた状態にて挿入され、傾きを戻すことにより、前記第１係合部と第２係合部が係合して前記シャッター縦枠に取り付けられることが望ましい。  
このようなシャッターユニットによれば、カバー部材が凹部に入り込むと第１係合部は見えにくくなるが、カバー部材を傾けて挿入した際に壁部がガイドレールの室内側側面と対向することでガイドとして機能し、傾きを戻すことにより第１係合部及び第２係合部を係合させる構成としたので、取り付けやすいカバー部材を実現することが可能である。また、カバー部材を取り付けた際にガイドレールとカバー部材との間に間隙が生じたとしても、壁部が間隙からの視界を遮って凹部内が露出することを防止することが可能である。このため、より美観に優れたシャッターユニットを実現することが可能である。
【０００９】
かかるシャッターユニットであって、前記シャッターカーテンを昇降させるための昇降駆動部と、前記昇降駆動部の動力を遮断して前記シャッターカーテンを巻き上げて開放するための操作部と、前記昇降駆動部と前記操作部とを連結するための連結部と、を有し、前記操作部は前記カバー部材に設けられ、前記連結部は前記凹部内に設けられていることが望ましい。
【００１０】
動力を遮断してシャッターカーテンを巻き上げて開放するための操作部は、非常時等に操作されるが、その操作部が縦枠とガイドレールとの間のカバー部材に設けられているので、非常時に備えて屋内側に露出した操作しやすい部位に操作部を備えることが可能である。また、昇降駆動部と操作部とを連結する連結部は、カバー部材に覆われた凹部に収容されるので、連結部が外部に露出せず、美観に優れたシャッターユニットを実現することが可能である。
【発明の効果】
【００１１】
本発明によれば、美観を考慮して設けられるカバー部材を、適切な状態にて容易に取り付けることが可能なシャッターユニットを提供することが可能である。
【発明を実施するための最良の形態】
【００１２】
以下、本発明の一実施形態に係るシャッターユニット１０について、図１〜図８を参照して説明する。
【００１３】
本実施の形態に係るシャッターユニット１０は、図１〜図３に示すように、開口を開閉するために昇降されるシャッターカーテン１２と、シャッターカーテン１２の端部をガイドするためのガイドレール１４と、建物に設けられたサッシ窓１１の枠体３０にガイドレール１４を固定するためのシャッター枠１５と、ガイドレール１４及びシャッター枠１５の上部に設けられたシャッターケース５４と、シャッターケース５４内に設けられシャッターカーテン１２を昇降させるための昇降装置２０と、枠体３０とガイドレール１４との間に形成される凹部７を覆うカバー部材１９とを有している。
【００１４】
以下の説明では、シャッターユニット１０を屋内側から見たときに上下となる方向を上下方向、左右となる方向を左右方向または見付け方向、屋内外方向である奥行き方向を見込み方向として示す。
【００１５】
サッシ窓１１は、建物に取り付けられた枠体３０と、枠体３０に部分的にガラスが嵌め付けられたＦＩＸ窓３１と、ＦＩＸ窓３１以外の領域を開閉自在に設けられた障子３２とを有している。
【００１６】
枠体３０は、建物の開口に上下方向に沿って設けられ左右に位置する縦枠本体３３、３４（縦枠の構成部材）と上下に位置する上枠本体３５及び下枠本体３６と、左右の縦枠本体３３、３４の間にて上枠本体３５と下枠本体３６との間に設けられた縦骨３７とを有している。
【００１７】
シャッター枠１５は、左右の縦枠本体３３、３４に取り付けられるシャッター縦枠１６、１７（縦枠の構成部材）と、左右のシャッター縦枠１６、１７の下端を連結するように配置されるシャッター下枠１８とを有している。
【００１８】
シャッター下枠１８は、下枠本体３６の上面３６ａとほぼ面一の水平面１８ａを形成する上アタッチメント１８ｂと、屋外側にて外装面１８ｃを形成する下アタッチメント１８ｄと、を有している。上アタッチメント１８ｂは、上面にシャッターカーテン１２の下端が当接されるため、傷等が目立ちにくいようにステン色に形成されている。また、上アタッチメント１８ｂ上は、下枠本体３６とほぼ同一の水平面をなしており、水平面１８ａ上を人が歩くことが考えられるため、日差し等により加熱されて高温になることを抑えるためにもステン色とされている。一方、下アタッチメント１８ｄは、外装面１８ｃを有するため、シャッター縦枠１６、１７やシャッターケース５４等と同色または調和がとれるように着色されている。
【００１９】
下アタッチメント１８ｄは、下枠本体３６の下端に設けられた水切り３８の屋外側端部と、上アタッチメント１８ｂの屋外側端部とに、ねじにて固定されている。水切り３８は、見付け方向に連通する空間を有する中空部材であり、下アタッチメント１８ｄは水切り３８の上面に上方からねじ止めされるため、ねじは下側に露出しない。上アタッチメント１８ｂは、屋外側端と屋内側端とに水平面１８ａより低い段部１８ｅを有している。上アタッチメント１８ｂの屋外側の段部１８ｅは下アタッチメント１８ｄの上端より低い位置に設けられた締結部１８ｆ上に載置されて上方からねじにて固定されている。上アタッチメント１８ｂの屋内側の段部１８ｅは下枠本体３６の上面３６ａより低い位置に設けられた固定部３６ｂ上に載置されて上方からねじにて固定されている。そして、上アタッチメント１８ｂの屋外側の段部１８ｅと下アタッチメント１８ｄとにて形成された溝部にシール部材５０が備えられることにより、ねじの上方が覆われる。また、上アタッチメント１８ｂの屋内側の段部１８ｅと下枠本体３６とにて形成された溝部には蓋部材５２が嵌め付けられることにより、ねじの上方が覆われる。このように上アタッチメント１８ｂが固定されることにより水切り３８上が覆われ、下アタッチメント１８ｄを水切り３８に固定しているねじも隠されるため、シャッター下枠１８を固定するねじはすべて隠蔽される。  
左右のシャッター縦枠１６、１７についは後述する。
【００２０】
シャッターカーテン１２は、図４に示すように複数のスラット１２ａが連結され、連結部にて屈曲可能に形成され、シャッター開放時には、シャッターカーテン１２を昇降させるための後述する回動体２２に巻き付けられている。
【００２１】
昇降装置２０は、シャッターカーテン１２の最上端側スラット１２ａが連結され、回動することによりシャッターカーテン１２が巻き取られ、また、繰り出される回動体２２と、回動体２２を回動させてシャッターカーテン１２を昇降させるための昇降駆動部としてのモータ２４と、回動体２２とモータ２４との間に介在されたクラッチ２６と、中空の固定軸２８と、固定軸２８の外側に挿通され、一方の端２９ａが固定軸２８に、他方の端２９ｂが回動体２２に固定されたコイルばね２９とを有している。
【００２２】
本実施形態のモータ２４は、駆動されていないとき、また、電力が供給されていないときにモータ２４の出力軸２４ａが回転しないようにブレーキが内蔵されている。また、コイルばね２９は、シャッターカーテン１２が巻き上げられるように回動体２２が回動する方向に付勢されており、巻き上げ動作によるモータ２４への負荷を軽減し、クラッチ２６によりモータ２４が切り離された場合には、コイルばね２９の付勢力によりシャッターカーテン１２が巻き上げられるように構成されている。
【００２３】
モータ２４の出力軸２４ａと回動体２２と固定軸２８とは同心に設けられており、回動体２２と、クラッチ２６及び固定軸２８とは軸受けを介して取り付けられている。
【００２４】
回動体２２内には、モータ２４の出力軸２４ａと固定軸２８との間にクラッチ２６が配置されている。クラッチ２６は、クラッチ本体２６ｃとカップリング２６ｄとが係合した状態を維持すべくクラッチ本体２６ｃをカップリング２６ｄ側に押圧する圧縮ばね２６ｅとを有している。
【００２５】
クラッチ本体２６ｃのカップリング２６ｄとは反対側の部位は、クラッチ２６と操作レバー７０とを連結するための連結部としてのワイヤ２７が取り付けられている。このワイヤ２７は、固定軸２８内を通って回動体２２の外側にて固定軸２８の外側へ引き出され、左側の凹部７内に垂下されている。垂下されたワイヤ２７の先端には操作レバー７０が設けられており、操作レバー７０は、開口の内側に露出するように後述するカバー部材１９に設けられており、ユーザー等は、屋内側から操作レバー７０を容易に操作することができるように構成されている。
【００２６】
本実施形態のガイドレール１４は、縦枠本体３３、３４に取り付けられたシャッター縦枠１６、１７にそれぞれ取り付けられている。ガイドレール１４の左右のシャッター縦枠１６、１７への取り付け構造は、ほぼ同様なので、ここでは左側のシャッター縦枠１６への取り付け構造について説明する。
【００２７】
シャッター縦枠１６は、縦枠本体３３にシャッター枠固定具としてのねじ６０にて固定されている。縦枠本体３３は、図６に示すように、屋内側に露出する屋内壁部３３ａと、屋内壁部３３ａとほぼ直交し見込み方向に沿って設けられ、開口の内側に露出する側壁部３３ｂと、側壁部３３ｂの見込み方向におけるほぼ半分の位置から見付け方向に沿って開口の外方向に突出された中央壁部３３ｃと、縦枠本体３３の屋外側にて側壁部３３ｂと中央壁部３３ｃとのそれぞれ一部を共有し、鉛直方向に連通し断面が矩形状の中空部３３ｄと、を有している。
【００２８】
シャッター縦枠１６は、見付け方向に沿って設けられ躯体３にねじ止めされる躯体当接部１６ａと、躯体当接部１６ａの右端から見込み方向に沿って設けられ外装面を有する外装壁部１６ｂと、外装壁部１６ｂから見付け方向に沿って開口の内側に向かって突出された３つの締結部１６ｃ、１６ｄ、１６ｅと、屋外側の端部に設けられガイドレール１４と係合される係合片１６ｆとを有している。３つの締結部１６ｃ、１６ｄ、１６ｅは、躯体当接部１６ａより僅かに屋外側に配置され縦枠本体３３とねじ６０にて締結される第１締結部１６ｃと、外装壁部１６ｂの見込み方向におけるほぼ中央に配置され縦枠本体３３の屋外側端部とねじ６０にて締結される第２締結部１６ｄと、屋外側の端に設けられた係合片１６ｆより僅かに屋内側に配置されガイドレール１４と固定具としてのねじ６０にて締結されるガイドレール締結部１６ｅとである。
【００２９】
第２締結部１６ｄにおけるねじの締結部位より右側、すなわち開口の中央側には後述するカバー部材１９と係合する第１係合突起１６ｇが設けられている。また、見付け方向に伸びるガイドレール締結部１６ｅの先端部は開口の中央側に臨む平面を有する固定部１６ｈが設けられており、ガイドレール締結部１６ｅの先端側には、屋内側に臨む面に屋内側に突出させてカバー部材１９と係合する第２係合突起１６ｉと、カバー部材１９の見付け方向における位置決め片１６ｊとが設けられている。
【００３０】
第１締結部１６ｃは、縦枠本体３３の中央壁部３３ｃと見付け方向に沿った面同士が当接されて屋内側からねじ６０にて締結されている。第１締結部１６ｃに用いられているねじ６０は、縦枠本体３３及びシャッター縦枠１６が躯体３に固定されることにより内部に収容されて外部には露出しない。
【００３１】
第２締結部１６ｄは、縦枠本体３３の中空部３３ｄにおける屋外側の面と第２締結部１６ｄの見付け方向に沿った面とが当接されて屋外側からねじ６０にて締結されている。このとき、ガイドレール１４が取り付けられていない状態では、屋外側から中空部３３ｄと第２締結部１６ｄとの当接部分が露出しているため容易に締結することが可能である。
【００３２】
ガイドレール１４は、シャッターカーテン１２を屋内側及び屋外側からそれぞれガイドするためのレール部１４ａ、１４ｂと、屋外側レール部１４ｂが延出されて屋外側の外装面を形成する屋外面部１４ｃと、屋外面部１４ｃと繋がって見込み方向に沿って設けられ左側の外装面を形成する屋外側部１４ｄと、屋外側部１４ｄと屋内側レール部１４ａとを繋ぐ連結部１４ｅとを有し、屋外側部１４ｄと連結部１４ｅとが繋がる角部には、シャッター縦枠１６の係合片１６ｆと係合される係合部１４ｆが設けられている。また、連結部１４ｅの見付け方向におけるほぼ中央から屋内側に向かってシャッター縦枠１６との締結部１４ｇが突出されている。そして、ガイドレール１４は、開口の中央側から外側に向かって見付け方向沿って移動されることにより、シャッター縦枠１６の係合片１６ｆと係合部１４ｆとが係合され、シャッター縦枠１６の固定部１６ｈと締結部１４ｇとが当接されて、開口の中央側からねじ６０にて固定される。ガイドレール１４がシャッター縦枠１６に取り付けられることにより、第２締結部１６ｄにて用いられたねじ６０がガイドレール１４により隠され、見込み方向正面から隠蔽される。
【００３３】
図７に示すように、縦枠本体３３にシャッター縦枠１６が取り付けられ、シャッター縦枠１６にガイドレール１４が取り付けられた状態で、縦枠本体３３の側壁部３３ｂにおける、開口の内側に露出された面（以下、内周面という）８と、ガイドレール１４の開口側先端部１４ｈが見付け方向においてほぼ面一に配置される。そして、縦枠本体３３とガイドレール１４との間には、側壁部３３ｂ及び開口側先端部１４ｈより開口の外方向に窪んだ凹部７が形成されている。
【００３４】
本実施形態のシャッターユニット１０は、美観を考慮し、縦枠本体３３とガイドレール１４との間に形成される凹部７を覆う、アルミ製のカバー部材１９が設けられている。
【００３５】
カバー部材１９は、側壁部３３ｂとともに内周面８を形成する内壁部１９ａと、内壁部１９ａの屋内側の端から開口内側から外側に向かって見付け方向に形成されシャッター縦枠１６の第１係合突起１６ｇと凹部７の入り口側にて係合する第２係合部としての屋内側係合片１９ｂと、内壁部１９ａに開口内側から外側に向かって見付け方向に形成されシャッター縦枠１６の第２係合突起１６ｉと凹部７の奥側にて係合する第１係合部としての屋外側係合片１９ｃと、内壁部１９ａの屋外側の端に開口内側から外側に向かって見付け方向に沿って形成され、屋内側レール部１４ａと対面する壁部としてのガイド部１９ｄと、を有している。屋外側係合片１９ｃは、カバー部材１９の見込み方向における全長に対し屋外側から約１／３の位置に設けられており、屋内側係合片１９ｂ及びガイド部１９ｄより長く延出されている。
【００３６】
カバー部材１９は、図７に示すように、ガイドレール１４がシャッター縦枠１６に取り付けられた後に、まず見込み方向に沿って形成されている内周面８に対し傾かせた状態にて挿入される。このとき、ガイド部１９ｄが屋内側レール部１４ａの屋内側にて凹部７に入り込み、内壁部１９ａが側壁部３３ｂ及び開口側先端部１４ｈよりも凹部７内に若干没入する位置に至るまで挿入される。また、このとき、屋内側係合片１９ｂの一部は凹部７より外側に位置している。その後、内壁部１９ａと、側壁部３３ｂ及び開口側先端部１４ｈとがほぼ面一となるように、カバー部材１９を傾きを戻すように回動させることにより、屋外側係合片１９ｃがシャッター縦枠１６の第２係合突起１６ｉと、また、屋内側係合片１９ｂがシャッター縦枠１６の第１係合突起１６ｇと係合し、カバー部材１９が取り付けられる。すなわち、カバー部材１９は、ガイドレール１４より屋内側に位置する第１係合突起１６ｇ及び第２係合突起１６ｉに係合し、シャッター縦枠１６のみに取り付けられている。カバー部材１９が取り付けられた状態では、ガイド部１９ｄは、屋内側レール部１４ａと僅かに間隔を隔てて対面するとともに、ガイド部１９ｄが見付け方向に幅を有しているので（ガイド部１９ｄが凹部７内に没入している）、ガイド部１９ｄが間隙からの視界を遮って凹部７内が露出することを防止することが可能である。このため、ガイドレール１４をシャッター縦枠１６に固定しているねじ６０及び縦枠本体３３の中空部３３ｄとシャッター縦枠１６の第２締結部１６ｄとを締結しているねじ６０をカバー部材１９により隠蔽することが可能である。
【００３７】
更に、図８に示すように、凹部７には、前述した昇降装置２０の動力を遮断可能なクラッチ２６を操作するための連結部としてのワイヤ２７が引き込まれており、また、左側のカバー部材１９には、ワイヤ２７を引っ張り、モータ２４の動力を遮断してシャッターカーテン１２を巻き上げて開放するための操作部としての操作レバー７０が設けられている。このため、内周面８に操作レバー７０を配置するとともにワイヤ２７を凹部７内に収容することが可能であり、ユーザーが操作し易く、かつ、美観に優れたシャッターユニット１０を実現することが可能である。
【００３８】
また、本実施形態のシャッターユニット１０によれば、縦枠本体３３とガイドレール１４との間に形成される凹部７を覆うカバー部材１９が、ガイドレール１４より屋内側に位置する第１係合突起１６ｇ及び第２係合突起１６ｉにて、シャッター縦枠１６に対してのみに支持されているので、複数の部材に亘って支持される場合より適切な状態に容易に取り付けることが可能である。すなわち、カバー部材１９が取り付けられる部位（ここでは、第１係合突起１６ｇ及び第２係合突起１６ｉ）がシャッター縦枠１６のみに形成されているので、第１係合突起１６ｇと第２係合突起１６ｉとの間の位置を、より精度良く形成することが可能である。このため、カバー部材１９の内壁部１９ａ等が歪むこと無く、また、がたつきが生じたり、ガイドレール１４との間に広い隙間が生じることなく適切にカバー部材１９を取り付けることが可能である。
【００３９】
本実施形態では、カバー部材１９が、単体に形成されたシャッター縦枠１６のみに取り付けられている例について説明したが、シャッター縦枠１６は複数の部材にて形成されていても良く、また、縦枠本体３３とシャッター縦枠１６とを一体的に形成したもの（縦枠）に対してカバー部材１９を取り付けても良い。つまり、ガイドレールとは別体で縦枠が構成されていれば良い。また、カバー部材１９は縦枠本体３３側にのみ支持されてもよく、縦枠本体３３とシャッター縦枠１６とに跨って支持されていてもよい。このような場合であっても、カバー部材１９は少なくともガイドレール１４には支持されていないので、ガイドレール１４に支持されない分だけ、カバー部材１９が取り付けられる部位を高い精度にて形成することが可能である。このため、カバー部材１９を適切に、かつ、容易に取り付けることが可能である。さらに、本実施形態では、カバー部材１９がシャッター縦枠１６に直接支持されている例について説明したが、シャッター縦枠１６及び縦枠本体３３との間に他の部材が介在されて間接的に支持されていても良い。
【００４０】
また、上述したようにカバー部材１９が、ガイドレール１４より屋内側に位置する部位にて、ガイドレール１４に支持されていない構成とすることにより、ガイドレール１４のみを交換することが可能な構成としている。すなわち、カバー部材１９の取り付けがガイドレール１４に依存しない構成としている。このため、例えば、シャッターカーテンの見込み方向の幅が相違するような仕様が異なるシャッターカーテンを取り付ける場合であっても、ガイドレールを交換するだけでシャッター縦枠等を交換することなく種々のシャッターカーテンを取り付けることが可能である。このため、汎用性が高いシャッターユニットを提供することが可能である。
【００４１】
また、シャッター縦枠１６を屋内側から枠体３０に固定するねじ６０は、凹部７内に納められ、さらに、ガイドレール１４及びカバー部材１９により隠蔽され、ガイドレール１４をシャッター縦枠１６に固定するねじ６０もカバー部材１９により隠蔽されるので、ねじ６０が外部から見えず、より美観に優れたシャッターユニット１０を実現することが可能である。
【００４２】
また、カバー部材１９の屋外側係合片１９ｃは凹部７に入り込むと見えにくくなるが、ガイド部１９ｄを屋内側レール部１４ａに近接させつつカバー部材１９を傾けて挿入することにより、屋外側係合片１９ｃが第２係合突起１６ｉ及び締結部１４ｇに突き当たることなく、ほぼ所望の位置に屋外側係合片１９ｃを配置させることが可能である。そして、凹部７の入り口にてカバー部材１９の傾きを戻すことにより屋外側係合片１９ｃ及び屋内側係合片１９ｂを係合させる構成としたので、カバー部材１９を容易に取り付けることが可能である。
【００４３】
上記実施形態においては、美観を考慮したカバー部材として、ガイドレール１４と枠体３０との間に形成される凹部７を覆うカバー部材１９を例に説明したが、例えば、シャッターユニット１０の一部を覆うカバー部材であって、当該カバー部材の一部が人の視界に入るように外部に露出して取り付けられる部材も、美観を考慮したカバー部材に含まれる。
【００４４】
また、上記実施形態において、サッシ窓の一例としての片引き窓タイプについて説明したが、本発明のサッシ窓は、片引き窓に限らず引違い窓であってもよく、また、上げ下げ窓などの障子（面材）が上下スライド開閉自在に支持された窓であってもよい。また、嵌め殺し窓のように面材が窓枠（枠体）内部に固定された窓であってもよい。
【００４５】
また、上記実施形態において、図８に示すように左側のカバー部材１９側に操作レバー７０を設けたが右側でも良い。
【００４６】
また、本実施形態においては、シャッター枠固定具及びガイドレール固定具をいずれもねじとして説明したが、リベットなどその他の固定具であっても構わない。
【００４７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４８】
【図１】本実施形態に係るシャッターユニットを屋外側から見たときの斜視図である。
【図２】本実施形態に係るシャッターユニットを説明するための水平断面図である。
【図３】本実施形態に係るシャッターユニットを説明するための縦断面図である。
【図４】シャッターカーテンの巻き上げ機構を説明するための図である。
【図５】操作レバーを説明するための図である。
【図６】縦枠、シャッター縦枠、ガイドレールの取り付け構造を説明するための図である。
【図７】カバー部材の取り付け方法を説明するための図である。
【図８】カバー部材に設けられた操作レバーの位置を示す図である。
【符号の説明】
【００４９】
７  凹部、１０  シャッターユニット、１２  シャッターカーテン、
１４  ガイドレール、１６  シャッター縦枠、１９  カバー部材、
１９ｂ  屋内側係合片、１９ｃ  屋外側係合片、１９ｄ  ガイド部、２４  モータ、
２７  ワイヤ、３３  縦枠本体、６０  ねじ、７０  操作レバー
【図１】
2008223429.tif 000003
【図２】
2008223429.tif 000004
【図３】
2008223429.tif 000005
【図４】
2008223429.tif 000006
【図５】
2008223429.tif 000007
【図６】
2008223429.tif 000008
【図７】
2008223429.tif 000009
【図８】
2008223429.tif 000010